(57)【特許請求の範囲】
【請求項１】
支持ボードと、該支持ボード上に配置される複数のピースとを有し、前記複数のピースを決められた配列で前記支持ボード上に配置させるパズルにおいて、
前記支持ボードは、記録された音声情報の再生が可能に構成され、押下することにより前記音声情報を再生するための操作部を外部から視認不可能に具備するシート状の音声情報記録／再生手段を有し、
前記複数のピースのうち、前記複数のピースが前記決められた配列で前記支持ボード上に配置された場合に前記操作部に対向するピースは、前記操作部に対向する領域に当該操作部を示す第１の指示情報が表示され、
前記第１の指示情報が表示された領域の押下を指示する第２の指示情報が、前記第１の指示情報が表示されたピースとは異なるピースに表示されていることを特徴とするパズル。
【請求項２】
請求項１に記載のパズルにおいて、
前記第２の指示情報は、複数のピースに跨って表示されており、当該複数のピースが前記決められた配列で配置された場合に、前記第１の指示情報が表示された領域を押下する旨が認識可能となるパズル。
【発明の詳細な説明】
【技術分野】
【０００１】
本発明は、支持ボード上に複数のピースを決められた配列で配置させるパズルに関する。
【背景技術】
【０００２】
支持ボード上に複数のピースを決められた配列で配置させるパズルは、従来より様々な種類のものが考えられ、販売されている。パズルの形状の面から見ると、各ピースの外形が曲線からなる幼児向けのパズルや、各ピースがその外形が矩形に近い形状であり、その４辺のそれぞれに隣接するピースと組み合わされるための凸部や凹部が形成されたジグソーパズル等がある。また、複数のピースを決められた配列で配置した場合に完成する絵柄としては、教育用としての日本地図や、絵画、写真等、様々なものがある。
【０００３】
このようなパズルは、複数のピースを絵柄が完成するように配置していく過程を楽しんだり、絵柄が完成した状態のものを飾って楽しんだりすることができ、また、絵柄を完成させるために複数のピースをどのように配置したらよいかを考えさせることにより脳の活性化を図ることができるため、その販売対象は幼児から大人まで幅広い層となっている。
【０００４】
このようなパズルにおいて、複数のピースの全てが支持ボード上に決められた配列で配置された場合に、音声を出力する技術が特許文献１に開示されている。特許文献１に開示されたパズルは、複数のピースの裏面にマグネットをそれぞれ取り付けるとともに、支持ボードの複数のピースが配置される領域の全てにホール素子を設けておき、これらマグネットとホール素子とが全て対向した場合に音声を出力するものである。これにより、支持ボード上に複数のピースを決められた配列で配置させた場合、完成した絵柄を楽しむだけではなく、出力される音声を楽しむことができるようになる。
【特許文献１】特開平１０−２０１９４６号公報
【発明の開示】
【発明が解決しようとする課題】
【０００５】
しかしながら、上述した特許文献１に開示されたパズルにおいては、複数のピースにマグネットをそれぞれ取り付けるとともに、支持ボードの複数のピースが配置される領域の全てにホール素子を設けておく必要があるため、ピースの構造と支持ボードの構造とがそれぞれ複雑となり、製造工程が煩雑になってしまうという問題点がある。また、ピースを１つでも紛失した場合、音声が出力されなくなってしまい、紛失したピースを購入しようとしても、マグネットの分だけピースが高価なものであるため、紛失したピースが購入されずにパズルが利用されなくなってしまう可能性がある。
【０００６】
本発明は、上述したような従来の技術が有する問題点に鑑みてなされたものであって、支持ボード上に配置される複数のピースの構造を複雑にしたりピースを高価なものとしたりすることなく、複数のピースを決められた配列で支持ボード上に配置した場合に音声を出力可能とすることができるパズルを提供することを目的とする。
【課題を解決するための手段】
【０００７】
上記目的を達成するために本発明は、
支持ボードと、該支持ボード上に配置される複数のピースとを有し、前記複数のピースを決められた配列で前記支持ボード上に配置させるパズルにおいて、
前記支持ボードは、記録された音声情報の再生が可能に構成され、押下することにより前記音声情報を再生するための操作部を外部から視認不可能に具備するシート状の音声情報記録／再生手段を有し、
前記複数のピースのうち、前記複数のピースが前記決められた配列で前記支持ボード上に配置された場合に前記操作部に対向するピースは、前記操作部に対向する領域に当該操作部を示す第１の指示情報が表示され、
前記第１の指示情報が表示された領域の押下を指示する第２の指示情報が、前記第１の指示情報が表示されたピースとは異なるピースに表示されていることを特徴とする。
【０００８】
上記のように構成された本発明においては、複数のピースが配置される支持ボードは、記録された音声情報の再生が可能に構成されたシート状の音声情報記録／再生手段を有しており、音声情報記録／再生手段の操作部を操作することにより、音声情報記録／再生手段に記録された音声情報が再生されることになる。ところが、この操作部は、外部から視認不可能となっているため、音声情報記録／再生手段に記録された音声情報が再生されにくくなっている。複数のピースが決められた配列で支持ボード上に配置されると、操作部に対向するピースの操作部に対向する領域には、操作部を示す第１の指示情報が表示されているので、この第１の指示情報が表示された領域を介して操作部を操作することにより、音声情報記録／再生手段に記録された音声情報が再生されることになる。
【０００９】
また、操作部が、押下することにより音声情報を再生するためのものであって、第１の指示情報が表示された領域の押下を指示する第２の指示情報が、第１の指示情報が表示されたピースとは異なるピースに表示されていることにより、第１の指示情報が表示されたピースとともに第２の指示情報が表示されたピースが支持ボード上に決められた配列で配置された場合に、第１の指示情報が表示された領域を押下する旨が認識されやすくなる。
【００１０】
また、第２の指示情報が、複数のピースに跨って表示されており、それら複数のピースが決められた配列で配置された場合に、第１の指示情報が表示された領域を押下する旨が認識可能となるようにすれば、第２の指示情報が表示された複数のピースと第１の指示情報が表示されたピースとが、支持ボード上に決められた配列で配置された場合に、第１の指示情報が表示された領域を押下する旨が認識されやすくなる。
【発明の効果】
【００１１】
以上説明したように本発明においては、支持ボードと、支持ボード上に配置される複数のピースとを有し、複数のピースを決められた配列で支持ボード上に配置させるパズルにおいて、支持ボードが、記録された音声情報の再生が可能に構成され、音声情報を再生するための操作部を外部から視認不可能に具備するシート状の音声情報記録／再生手段を有し、複数のピースのうち、複数のピースが決められた配列で支持ボード上に配置された場合に操作部に対向するピースが、操作部に対向する領域に操作部を示す第１の指示情報が表示されている構成としたため、音声情報記録／再生手段に記録された音声情報を再生するために、支持ボード上に配置される複数のピースには、複数のピースが決められた配列で支持ボード上に配置された場合に操作部に対向するピースに操作部を示す第１の指示情報を表示しておくだけでよく、支持ボード上に配置される複数のピースの構造を複雑にしたりピースを高価なものとしたりすることなく、複数のピースを決められた配列で支持ボード上に配置した場合に音声を出力可能とすることができる。
【００１２】
また、操作部が、押下することにより音声情報を再生するためのものであって、第１の指示情報が表示された領域の押下を指示する第２の指示情報が、第１の指示情報が表示されたピースとは異なるピースに表示されている構成としたことにより、第１の指示情報が表示されたピースと第２の指示情報が表示されたピースとが決められた配列で支持ボード上に配置された場合に、音声情報を再生するために第１の指示情報が表示された領域を押下する旨を認識しやすくすることができる。
【００１３】
また、第２の指示情報が、複数のピースに跨って表示されており、それら複数のピースが決められた配列で配置された場合に、第１の指示情報が表示された領域を押下する旨が認識可能となる構成としたものにおいては、さらに、第２の指示情報が表示された複数のピースが、支持ボード上に決められた配列で配置された場合に、音声情報を再生するために第１の指示情報が表示された領域を押下する旨を認識しやすくすることができる。
【発明を実施するための最良の形態】
【００１４】
以下に、本発明の実施の形態について図面を参照して説明する。
【００１５】
図１は、本発明のパズルの実施の一形態を示す図であり、（ａ）は表面から見た図、（ｂ）は（ａ）に示した支持ボード２の構成を示す図、（ｃ）は内蔵される音声情報記録／再生部３０の構成を示す図、（ｄ）は（ａ）に示したＡ−Ａ’断面図である。また、図２は、図１に示したパズル１の積層状態を示す図である。
【００１６】
本形態は図１及び図２に示すように、音声情報が記録され、記録された音声情報の再生が可能なシート状の音声情報記録／再生部３０が、紙基材等の柔軟性を有し、かつ薄型の基材からなる２枚の支持シート２０ａ，２０ｂに表裏から挟み込まれて保持され、また、音声情報記録／再生部３０を挟み込んだ支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれ、さらに、表面シート１０ａ上に枠部４及び複数のピース３が積層されて構成されている。このピース３を除いた、枠部４、表面シート１０ａ，１０ｂ、支持シート２０ａ，２０ｂ及び音声情報記録／再生部３０から支持ボード２が構成されている。なお、表面シート１０ａ，１０ｂ、支持シート２０ａ，２０ｂ及び音声情報記録／再生部３０は、支持シート２０ａ，２０ｂの表裏に塗布された粘着剤（不図示）によって互いに接着されている。
【００１７】
音声情報記録／再生部３０は、音声情報が記録されるＩＣチップを具備するＩＣ基板３２と、ＩＣ基板３２に記録された音声情報を再生する際に操作される操作部である薄型のスイッチ３３と、ピエゾ素子４１、振動板４２及びフィルムシート（不図示）からシート状に構成され、再生された音声情報を出力するための音声情報出力部４０と、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３は、フィルム基板３５上に搭載され、このフィルム基板３５上に形成された配線パターン３４ａ，３４ｂとＩＣ基板３２とについても、はんだ溶接されたリード線を介して互いに電気的に接続されている。ＩＣ基板３２内のＩＣチップは、メモリ領域に記録された音声情報を音声情報出力部４０を介して出力する制御を行うものであって、コイン電池３１によって電源が供給されるポート端子や、グランド電位に接続されたポート端子や、メモリ領域に記録された音声情報を音声情報出力部４０に出力するためのポート端子や、メモリ領域に記録された音声情報を音声情報出力部４０を介して出力するための指示信号が入力されるポート端子等を有し、このうち、メモリ領域に記録された音声情報を音声情報出力部４０を介して出力するための指示信号が入力されるポート端子がグランド電位となった場合、メモリ領域に記録された音声情報を音声情報出力部４０を介して出力する。フィルム基板３５上に形成された配線パターン３４ａ，３４ｂは、配線パターン３４ａの一端が、ＩＣ基板３２内のＩＣチップのポート端子のうち、メモリ領域に記録された音声情報を音声情報出力部４０を介して出力するための指示信号が入力されるポート端子に接続され、また、配線パターン３４ｂの一端が、ＩＣ基板３２を介してコイン電池３１のグランド電位に接続されている。ＩＣ基板３２には、上述したように音声情報が記録されているが、このＩＣ基板３２への音声情報の記録は、ＩＣ基板３２のメモリ領域に音声情報を記録するためのポート端子を外部の入力機器に接続するための接続端子を介して行われており、例えば、支持ボード２の枠部４内に複数のピース３が決められた配列で配置されることにより完成する絵柄に応じた音声情報を記録しておくことが考えられる。
【００１８】
支持シート２０ａは、音声情報記録／再生部３０と積層された場合に、音声情報出力部４０に対向する領域に穴部２１が形成され、また、コイン電池３１、ＩＣ基板３２、スイッチ３３及びフィルム基板３５に対向する領域に穴部２２が形成されている。なお、支持シート２０ａの音声情報出力部４０と対向する領域に形成された穴部２１は音声情報出力部４０の外形とほぼ等しく、また、コイン電池３１、ＩＣ基板３２、スイッチ３３及びフィルム基板３５と対向する領域に形成された穴部２２は、これらコイン電池３１、ＩＣ基板３２、スイッチ３３及びフィルム基板３５を含む大きさとなっている。
【００１９】
支持シート２０ｂは、音声情報記録／再生部３０と積層された場合に、音声情報出力部４０に対向する領域に穴部２３が形成され、また、コイン電池３１に対向する領域に穴部２４が形成され、また、ＩＣ基板３２に対向する領域に穴部２５が形成されている。なお、支持シート２０ｂの音声情報出力部４０と対向する領域に形成された穴部２３は音声情報出力部４０よりも小さく、また、コイン電池３１と対向する領域に形成された穴部２４はコイン電池３１よりも大きく、ＩＣ基板３２と対向する領域に形成された穴部２５はＩＣ基板３２よりも大きくなっている。
【００２０】
このように、支持シート２０ａの、音声情報出力部４０、コイン電池３１、ＩＣ基板３２、スイッチ３３及びフィルム基板３５と対向する領域に穴部２１，２２がそれぞれ形成され、また、支持シート２０ｂの、音声情報出力部４０、コイン電池３１及びＩＣ基板３２と対向する領域に穴２３〜２５がそれぞれ形成されることにより、コイン電池３１、ＩＣ基板３２、スイッチ３３及び音声情報出力部４０が設けられている領域と他の領域とで厚さの差がほとんどなくなり、それにより、パズル１に音声情報記録／再生部３０が内蔵されていることが認識されにくくなるとともに、表面シート１０ａ，１０ｂに情報を印字する場合や、枠部４及びピース３が表面シート１０ａ上に配置された状態で枠部４やピース３に情報を印字する場合、プリンタ等にて印字不良が生じてしまう可能性を低減することができ、さらには、外部からの負荷が音声情報記録／再生部３０に集中的に加わってしまうことを回避することができる。
【００２１】
枠部４及びピース３は、例えば、所定の厚さを有する紙基材の表面に、情報が印刷された表面シートが積層されて構成されており、枠部４が表面シート１０ａに接着されている。ピース３は、表面シート１０ａには接着されておらず、互いに分割されており、枠部４内に決められた配列で配置されることにより完成する絵柄が表示されている。また、複数のピース３のうち、複数のピース３が決められた配列で支持ボード２上に配置された場合にスイッチ３３に対向するピース３には、スイッチ３３に対向する領域に第１の指示情報である音声再生指示マーク５がスイッチ３３を示すものとして表示されており、それにより、スイッチ３３の位置が特定可能となっている。また、音声再生指示マーク５が表示されたピース３とは異なるピース３には、音声再生指示マーク５が表示された領域の押下を指示する第２の指示情報である押下指示情報６が、複数のピース３に跨って表示されており、この複数のピース３が決められた配列で配置された場合に、音声再生指示マーク５が表示された領域を押下する旨が認識可能となっている。
【００２２】
ここで、音声情報記録／再生部３０のスイッチ３３の操作による音声情報の再生動作について説明する。
【００２３】
図３は、図１に示したスイッチ３３の操作による音声情報の再生動作を説明するための図であり、（ａ）はフィルム基板３５上の詳細な構成を示す図、（ｂ）はスイッチ３３が押下されていない状態におけるスイッチ３３及びフィルム基板３５の断面図、（ｃ）はスイッチ３３が押下された状態におけるスイッチ３３及びフィルム基板３５の断面図、（ｄ）はスイッチ３３が押下されていない状態における等価回路図、（ｅ）はスイッチ３３が押下された状態における等価回路図である。
【００２４】
図３（ａ）に示すように、フィルム基板３５には、リード線を介してＩＣ基板３２に接続された２つの配線パターン３４ａ，３４ｂが形成されている。この２つの配線パターン３４ａ，３４ｂはそれぞれ櫛状となっており、櫛の歯の部分が互い違いに対向するように形成されている。配線パターン３４ａ，３４ｂのうち一方の配線パターン３４ａは、ＩＣ基板３２内のＩＣチップのポート端子のうち、メモリ領域に記録された音声情報を音声情報出力部４０を介して出力するための指示信号が入力されるポート端子に接続され、他方の配線パターン３４ｂは、ＩＣ基板３２を介してコイン電池３１のグランド端子に接続されている。
【００２５】
スイッチ３３が押下されていない状態においては、図３（ｂ）に示すように、スイッチ３３が２つの配線パターン３４ａ，３４ｂに接しておらず、それにより、図３（ｄ）に示すように、ＩＣ基板３２内のＩＣチップのポート端子のうち、配線パターン３４ａに接続され、メモリ領域に記録された音声情報を音声情報出力部４０を介して出力するための指示信号が入力されるポート端子はオープン状態となっている。そのため、この状態では、メモリ領域に記録された音声情報は音声情報出力部４０を介して出力されない。
【００２６】
スイッチ３３が押下されると、図３（ｃ）に示すように、スイッチ３３がフィルム基板３５の表面に沿うように変形し、それにより、スイッチ３３の裏面に塗布された導電剤３３ａを介して２つの配線パターン３４ａ，３４ｂが電気的に接続された状態となる。すると、図３（ｅ）に示すように、配線パターン３４ｂがＩＣ基板３２を介してコイン電池３１のグランド端子に接続されているため、配線パターン３４ａと接続されたポート端子、すなわち、メモリ領域に記録された音声情報を音声情報出力部４０を介して出力するための指示信号が入力されるポート端子がコイン電池３１による電源３１ａのグランド電位となり、メモリ領域に記録された音声情報が音声情報出力部４０を介して出力されることになる。
【００２７】
以下に、上記のように構成されたパズル１の使用方法について説明する。
【００２８】
図４は、図１に示したパズル１の使用方法を説明するための図である。
【００２９】
ピース３が１つも支持ボード２の枠部４内に配置されていない場合であっても、音声情報記録／再生部３０のスイッチ３３は表面シート１０ａに覆われているため、図４（ａ）に示すように、外部から視認不可能な状態となっている。そのため、ピース３が１つも支持ボード２の枠部４内に配置されていない場合は、スイッチ３３がどの領域に存在するかを認識することができず、音声情報記録／再生部３０に記録された音声情報を、スイッチ３３を押下することによって再生することはできない。また、音声情報記録／再生部３０の全体が表面シート１０ａに覆われているため、このパズル１に音声情報記録／再生部３０が内蔵され、音声情報記録／再生部３０に記録された音声情報を再生できる旨は認識されない。
【００３０】
この状態から、図４（ｂ）に示すように、支持ボード２の枠部４内に、絵柄が完成するように決められた配列でピース３を配置していく。支持ボード２の枠部４内にピース３が配置されていった場合であっても、枠内４に配置されたピース３が、音声指示マーク５が表示されたものではない場合、スイッチ３３がどの領域に存在するかを認識することができず、音声情報記録／再生部３０に記録された音声情報を、スイッチ３３を押下することによって再生することはできない。
【００３１】
さらにピース３を決められた配列で枠部４内に配置していき、図４（ｃ）に示すように、音声再生指示マーク５が表示されたピース３が枠部４内に配置された場合、音声再生指示マーク５は、絵柄が完成するような決められた配列でピース３が支持ボード２上に配置された場合にスイッチ３３に対向する領域に配置されるものであるため、そのピース３の音声再生指示マーク５が表示された領域を押下することにより、音声情報記録／再生部３０に記録された音声情報を再生することができる。ところが、図４（ｃ）に示した状態では、まだ枠部４内に配置されていないピース３が存在するため、音声再生指示マーク５が表示されたピース３が決められた配列で枠部４内に配置されたとは限らず、音声再生指示マーク５が表示されたピース３がこの時点で押下される可能性は低い。また、音声再生指示マーク５だけでは、音声再生指示マーク５が表示された領域を押下する旨が認識されにくいため、この状態で音声再生指示マーク５が表示された領域が押下される可能性は低い。
【００３２】
さらにピース３を決められた配列で枠部４内に配置していき、図４（ｄ）に示すように、押下指示情報６が表示されたピース３のうちの１つのピース３が枠部４内に配置された場合、押下指示情報６は、音声再生指示マーク５が表示された領域の押下を指示するものであるものの、押下指示情報６は複数のピース３に跨って表示されており、この複数のピース３が、絵柄が完成するような決められた配列で配置された場合に、押下指示情報６によって音声再生指示マーク５が表示された領域を押下する旨が認識可能となっているため、この状態では、枠部４内に配置されたピース３に表示された押下指示情報６だけでは、音声再生指示マーク５が表示された領域を押下する旨が認識されにくく、この状態で音声再生指示マーク５が表示された領域が押下される可能性は低い。
【００３３】
その後、複数のピース３が支持ボード２の枠部４内に、絵柄が完成するような決められた配列で全て配置されると、音声再生指示マーク５が表示されたピース３の位置が特定されるとともに、図４（ｅ）に示すように、複数のピース３に跨って表示された押下指示情報６が完成し、それにより、音声再生指示マーク５が表示された領域を押下する旨が認識されることになる。そして、音声再生指示マーク５が表示されたピース３の音声再生指示マーク５が表示された領域が押下されると、ピース３及び表面シート１０ａを介してスイッチ３３が押下され、図３に示した動作によって、音声情報記録／再生部３０のＩＣ基板３２に記録された音声情報が再生され、音声情報出力部４０から出力されることになる。このように、スイッチ３３は、音声再生指示マーク５が表示されたピース３及び表面シート１０ａを介して押下されるため、ピース３及び表面シート１０ａの厚さが薄い方が、押下による圧力がスイッチ３３に加わりやすくて好ましい。
【００３４】
ここで、音声再生指示マーク５が表示されたピース３と、押下指示情報６が表示された複数のピース３とが支持ボード２上ではない領域にて配列された場合の動作について説明する。
【００３５】
図５は、図１に示したパズル１において、音声再生指示マーク５が表示されたピース３と、押下指示情報６が表示された複数のピース３とが支持ボード２上ではない領域にて配列された状態を示す図である。
【００３６】
音声再生指示マーク５が表示されたピース３と、押下指示情報６が表示された複数のピース３とが、図５に示すように支持ボード２上ではない領域にて配列された場合、複数のピース３に跨って表示された押下指示情報６によって、音声再生指示マーク５が表示された領域を押下する旨が指示されるものの、この状態では、これらピース３が支持ボード２上に配置されていないため、音声再生指示マーク５がスイッチ３３と対向していない。そのため、この状態で音声再生指示マーク５が表示された領域が押下された場合であっても、音声情報記録／再生部３０に記録された音声情報が再生されることはない。
【００３７】
上述したように本形態においては、絵柄を構成する情報が表示された複数のピース３が、絵柄が完成するような決められた配列で支持ボード２の枠部４内に配列された場合に、音声情報記録／再生部３０のＩＣ基板３２に記録された音声情報を再生するためのスイッチ３３が音声再生指示マーク５に対向するようになり、音声再生指示マーク５が表示されたピース３の音声再生指示マーク５が表示された領域が押下されることにより、音声情報記録／再生部３０に記録された音声情報が再生されることになる。この際、ピース３には音声再生指示マーク５を表示しておくだけでよいため、複数のピース３の構造が複雑になってしまったり、ピース３が高価なものとなったりすることがない。
【００３８】
また、音声再生指示マーク５が表示された領域の押下を指示する押下指示情報６が、音声再生指示マーク５が表示されたピースとは異なるピースに表示されていることにより、音声再生指示マーク５が表示されたピース３と押下指示情報６が表示されたピース３とが決められた配列で支持ボード上に配置された場合に、音声情報を再生するために音声再生指示マーク５が表示された領域を押下する旨が認識されやすくなる。
【００３９】
また、押下指示情報６が、複数のピース３に跨って表示されており、それら複数のピース３が決められた配列で配置された場合に、音声再生指示マーク５が表示された領域を押下する旨が認識可能となることにより、さらに、押下指示情報６が表示された複数のピース３が、支持ボード２上に決められた配列で配置された場合に、音声情報を再生するために音声再生指示マーク５が表示された領域を押下する旨が認識されやすくなる。
【００４０】
なお、本形態においては、ピエゾ素子４１、振動板４２及びフィルムシートからなる音声情報出力部４０が、表面シート１０ａ，１０ｂによって表裏から挟み込まれているが、表面シート１０ａ，１０ｂの音声情報出力部４０に対向する領域に微細な穴を複数羅列するように形成することによって、音声情報出力部４０から出力される音量の低下を補うことも考えられる。その場合、例えば、レーザ加工によって、０．１ｍｍ径の穴を縦横２．０ｍｍ間隔で形成することが考えられる。
【００４１】
また、本形態においては、ＩＣ基板３２に予め音声情報が記録されているが、一般ユーザがＩＣ基板３２に音声情報を記録することができる構成としてもよい。その場合、音声情報記録／再生部３０にスイッチ３３と同様のスイッチを設けておき、このスイッチを押下した状態で音声情報出力部４０を介して音声情報を入力すると、音声情報出力部４０を介して入力された音声情報がＩＣ基板３２に記録されることになる。
【００４２】
また、本形態においては、記録された音声情報の再生が可能なシート状の音声情報記録／再生部３０が、２枚の支持シート２０ａ，２０ｂに表裏から挟み込まれて保持され、また、音声情報記録／再生部３０を挟み込んだ支持シート２０ａ，２０ｂが、２枚の表面シート１０ａ，１０ｂに挟み込まれて構成されているものを例に挙げて説明したが、音声情報記録／再生部３０が、１枚の支持シートに貼付されて保持され、音声情報記録／再生部３０及びこれを保持する１枚の支持シートが、２枚の表面シートに挟み込まれて構成されたものであってもよい。
【図面の簡単な説明】
【００４３】
【図１】本発明のパズルの実施の一形態を示す図であり、（ａ）は表面から見た図、（ｂ）は（ａ）に示した支持ボードの構成を示す図、（ｃ）は内蔵される音声情報記録／再生部の構成を示す図、（ｄ）は（ａ）に示したＡ−Ａ’断面図である。
【図２】図１に示したパズルの積層状態を示す図である。
【図３】図１に示したスイッチの操作による音声情報の再生動作を説明するための図であり、（ａ）はフィルム基板上の詳細な構成を示す図、（ｂ）はスイッチが押下されていない状態におけるスイッチ及びフィルム基板の断面図、（ｃ）はスイッチが押下された状態におけるスイッチ及びフィルム基板の断面図、（ｄ）はスイッチが押下されていない状態における等価回路図、（ｅ）はスイッチが押下された状態における等価回路図である。
【図４】図１に示したパズルの使用方法を説明するための図である。
【図５】図１に示したパズルにおいて、音声再生指示マークが表示されたピースと、押下指示情報が表示された複数のピースとが支持ボード上ではない領域にて配列された状態を示す図である。
【符号の説明】
【００４４】
１    パズル
２    支持ボード
３    ピース
４    枠部
５    音声再生指示マーク
６    押下指示情報
１０ａ，１０ｂ    表面シート
２０ａ，２０ｂ    支持シート
２１〜２５    穴部
３０    音声情報記録／再生部
３１    コイン電池
３１ａ    電源
３２    ＩＣ基板
３３    スイッチ
３３ａ    導電剤
３４ａ，３４ｂ    配線パターン
３５    フィルム基板
４０    音声情報出力部
４１    ピエゾ素子
４２    振動板
【図１】
0005108608.tif 000002
【図２】
0005108608.tif 000003
【図３】
0005108608.tif 000004
【図４】
0005108608.tif 000005
【図５】
0005108608.tif 000006